(57)【要約】【課題】めっき層とプライマーインク層の間のアンカー効果による密着強度を確保しつつ、プライマーインク層と非導電性基材との密着強度を確保できるめっき層を有する成形品を製造する方法を提供することを目的とする。【解決手段】本発明の成形品の製造方法は、非導電性基材１０Ａの表面に樹脂材料とめっきに対する触媒粒子を含むプライマ層を形成する工程（ａ）と、工程（ａ）により形成されたプライマ層の表面にめっき層を形成する工程（ｂ）と、を備える。本発明の製造方法は、工程（ａ）において、非導電性基材１０Ａに接する、触媒粒子ＣＰを含まない第一プライマ前駆層を形成し、次いで、第一プライマ層に接する、触媒粒子ＣＰを含む第二プライマ前駆層を形成する。【選択図】図２
2019157158.tif 000002
【特許請求の範囲】
【請求項１】
非導電性基材に支持される、樹脂材料と樹脂材料に支持されるめっきに対する触媒粒子を含むプライマ層を形成する工程（ａ）と、
工程（ａ）により形成された前記プライマ層の表面にめっき層を形成する工程（ｂ）と、を備え、
工程（ａ）において、
前記非導電性基材に接する、前記触媒粒子を含まない第一プライマ前駆層を形成し、次いで、
前記第一プライマ前駆層に接する、前記触媒粒子を含む第二プライマ前駆層を形成する、
ことを特徴とする成形品の製造方法。
【請求項２】
前記工程（ａ）において、
未乾燥状態の第一塗料組成物を前記非導電性基材の表面に塗布して前記第一プライマ前駆層を形成し、
次いで、前記触媒粒子を含む未乾燥状態の第二塗料組成物を、半乾燥状態の前記第一塗料組成物の上に塗布して前記第二プライマ前駆層を形成し、
前記第一塗料組成物と前記第二塗料組成物を乾燥させることで、前記触媒粒子を含まない第一プライマ層と前記触媒粒子を含む第二プライマ層を形成し、その後に工程（ｂ）を行う、
請求項１に記載の成形品の製造方法。
【請求項３】
前記第一塗料組成物と前記第二塗料組成物の樹脂成分が同じ材質である、
請求項２に記載の成形品の製造方法。
【請求項４】
前記工程（ａ）において、
未乾燥状態の塗料組成物を前記非導電性基材の表面に塗布して前記第一プライマ前駆層を形成し、
未乾燥状態の前記塗料組成物の表層に前記触媒粒子を供給して、前記第二プライマ前駆層を形成し、
前記塗料組成物を乾燥させることで、前記触媒粒子を含まない第一プライマ層と前記触媒粒子を含む第二プライマ層を形成し、その後に前記工程（ｂ）を行う、
請求項１に記載の成形品の製造方法。
【請求項５】
前記工程（ａ）の前記第二プライマ前駆層の形成において、
前記触媒粒子は、前記塗料組成物に含まれる溶媒とともにスプレーすることにより、前記塗料組成物の表層に供給される、
請求項４に記載の成形品の製造方法。
【請求項６】
前記非導電性基材は、樹脂材料からなり、
前記非導電性基材と前記第一プライマ層が化学結合しており、かつ、
前記第一プライマ層と前記第二プライマ層が化学結合している、
請求項２〜請求項５のいずれか一項に記載の成形品の製造方法。
【発明の詳細な説明】
【技術分野】
【０００１】
本発明は、非導電性の基材の表面にめっき層が形成された成形品に関する。
【背景技術】
【０００２】
樹脂材料や複合材などの非導電性の基材に、基材では得られない特性を付与するために、その表面に無電解による金属めっき層が形成される。基材では得られない特性としては、耐摩耗性、耐エロージョン性などの機械的な特性の他に、金属光沢による意匠性も含まれる。
なお、ここでいう複合材とは、母材中に機械的な強度を付与するための強化材料を含めたものをいい、代表的なものとして繊維強化プラスチック（FRP：Fiber-Reinforced Plastics）が知られている。この複合材も母材が樹脂であることから、本願において樹脂材料というときは、母材が樹脂材料からなる複合材を含むものとする。また、本願において、単にめっきというときは、金属めっきを意味するものとする。
【０００３】
非導電性基材は、めっき層との界面に金属結合を得ることができない。非導電性基材とめっき層との間の密着性を確保するためには、非導電性基材の表面に化学的または物理的に微細な凹凸を形成してアンカー効果を付与する必要があった。しかし、凹凸形成方法の一つであるエッチングは工程が煩雑である上、クロム酸等の環境負荷の高い薬品を使用しなければならないという問題があった。また、めっき不要箇所へのマスキング工程が必要である課題があった。
【０００４】
そこで、例えば特許文献１，２に開示されるように、めっき層が形成される非導電性基材の表面にプライマーインクと称されるめっき前処理材を塗工することが提案されている。このプライマーインクは、Ｐｄ粒子と分散剤との複合体、溶媒及びバインダ樹脂を含有し、プライマーインクからなる層を非導電性基材に形成した後に無電解めっきが施される。このプライマーインクを用いると、めっきの触媒粒子であるＰｄ粒子と樹脂の複合体からなる塗膜にアンカー効果を生じさせ、エッチングと同等の効果を得ることができる。このプライマーインクを用いることにより、非導電性基材に対してエッチングを行うことなく、高いめっき密着性を得ることができる。
【先行技術文献】
【特許文献】
【０００５】
【特許文献１】特許第５４２２８１２号公報
【特許文献２】特許第６０７２３３０号公報
【発明の概要】
【発明が解決しようとする課題】
【０００６】
特許文献１などによるめっき層の形成は、非導電性基材の表面にプライマーインク層を設けた後に、プライマーインク層に無電解めっきを施す。非導電性基材とプライマーインク層の間の密着強度は、プライマーインクに含まれるバインダ樹脂と非導電性基材との化学結合による。
プライマーインク層は凹凸構造を有しているために、無電解めっき工程において、めっき液がプライマーインクの凹凸構造に浸透して、プライマーインク層中の触媒粒子によってめっき反応が起こり、アンカー効果によってめっき層がプライマーインク層に密着する。
【０００７】
めっき層とプライマーインク層の間のアンカー効果による密着強度を確保するには、めっきをプライマーインク層の凹凸構造に深く浸透させる必要がある。ところが、本発明者らの検討によると、プライマーインク層の厚さに対してめっきが浸透する深さが深くなると、非導電性基材とプライマーインク層の間の密着強度が低下することを確認した。
そこで本発明は、めっき層とプライマーインク層の間のアンカー効果による密着強度を確保しつつ、プライマーインク層と非導電性基材との密着強度を確保できるめっき層を有する成形品の製造方法を提供することを目的とする。
【課題を解決するための手段】
【０００８】
本発明者らは、非導電性基材とプライマーインク層の間の密着強度が低下する原因を検討した。その結果、めっき層を構成する金属成分が、プライマーインク層を貫通して非導電性基材の表面に到達していること、この表面に達している金属成分、つまりめっきが非導電性基材とプライマーインク層との化学的な結合を阻害しているために、両者の密着強度が低下することを知見した。
【０００９】
そこでなされた本発明のめっき層が形成された成形品の製造方法は、非導電性基材に支持される、樹脂材料と樹脂材料に支持されるめっきに対する触媒粒子を含むプライマ層を非導電性基材の表面に形成する工程（ａ）と、工程（ａ）により形成されたプライマ層の表面に金属めっき層を形成する工程（ｂ）と、を備える。
本発明の製造方法は、工程（ａ）において、非導電性基材に接する、触媒粒子を含まない第一プライマ前駆層を形成し、次いで、第一プライマ層に接する、触媒粒子を含む第二プライマ前駆層を形成する、ことを特徴とする。
【００１０】
本発明の製造方法は二つの形態を含んでいる。一つ目の形態は塗料組成物の塗布を二回に分けて行い、二つ目の形態は塗料組成物の塗布が一度で足りる。
一つ目の形態は、工程（ａ）において、未乾燥状態の第一塗料組成物を非導電性基材の表面に塗布して第一プライマ前駆層を形成し、次いで、触媒粒子を含む未乾燥状態の第二塗料組成物を、半乾燥状態の第一塗料組成物の上に塗布して第二プライマ前駆層を形成してから、第一塗料組成物と第二塗料組成物を乾燥させることで、触媒粒子を含まない第一プライマ層と触媒粒子を含む第二プライマ層を形成する。その後に、めっき層を形成する工程である工程（ｂ）を行う。
一つ目の形態において、第一塗料組成物と第二塗料組成物の樹脂成分が同じ材質であることが好ましい。
【００１１】
二つ目の形態は、工程（ａ）において、未乾燥状態の塗料組成物を非導電性基材の表面に塗布して第一プライマ前駆層を形成し、次いで、未乾燥状態の塗料組成物の表層に、触媒粒子を供給して、第二プライマ前駆層を形成する。次いで、塗料組成物を乾燥させることで、触媒粒子を含まない第一プライマ層と触媒粒子を含む第二プライマ層を形成する。その後に、めっき層を形成する工程である工程（ｂ）を行う、第二プライマ層の組成によっては、工程(ｂ)の前にアルカリ処理を行ってもよい。
なお、非導電性基材の表面に塗布される段階で塗料組成物は触媒粒子を含まない。
【００１２】
二つ目の形態における工程（ａ）の第二プライマ前駆層の形成において、触媒粒子は、好ましくは、塗料組成物に対する溶媒とともにスプレーすることにより、塗料組成物の表層に供給される。
【００１３】
本発明の成形品の製造方法において、非導電性基材は、樹脂材料からなる場合には、非導電性基材と第一プライマ層が化学結合しており、かつ、第一プライマ層と第二プライマ層が化学結合している。
【発明の効果】
【００１４】
本発明の成形品によれば、第二プライマ層がめっきを生じさせる触媒粒子を含むのに対して、第一プライマ層は触媒粒子を含まない。これにより、第二プライマ層がめっき層との接合強度を担い、第一プライマ層が非導電性基材と第二プライマ層の間の接合強度を担う。特に、本発明における第一プライマ層は触媒粒子を含まないので、めっきを構成する金属成分が第一プライマ層を貫通して非導電性基材の表面に到達するのを防止することができる。これにより、第一プライマ層と第二プライマ層との接合強度を担保する。
【図面の簡単な説明】
【００１５】
【図１】本発明の第１実施形態に係る成形品の横断面の構成を模式的に示す図である。
【図２】本発明の第１実施形態に係る成形品の製造工程を示す図である。
【図３】本発明の第２実施形態に係る成形品の横断面の構成を模式的に示す図である。
【図４】本発明の第２実施形態に係る成形品の製造工程を示す図である。
【図５】図４に引き続き、本発明の第２実施形態に係る成形品の製造工程を示す図である。
【発明を実施するための形態】
【００１６】
以下、添付図面を参照しながら、本発明の実施形態に係るめっき層が形成された樹脂成形品の製造方法について説明する。
以下説明する実施形態は、第１実施形態と第２実施形態の二つの形態を含んでいる。
第１実施形態は、第一プライマ層２０Ａを形成するための第一塗料組成物２０ａを塗布した後に、第一プライマ層２０Ａの上に第二プライマ層３０Ａを形成するための第二塗料組成物３０ａを塗布する。第１実施形態は、未乾燥状態の樹脂材料が個別に二回に分けて塗布される。
第２実施形態は、第一プライマ層２０Ａを形成するための第一塗料組成物２０ａを塗布した後に、めっきを生じさせる触媒粒子ＣＰを第一塗料組成物２０ａの表層に供給する。この供給は、好ましくは、第一塗料組成物２０ａの乾燥がある程度進んだ段階で行うことで、触媒粒子ＣＰが第一塗料組成物２０ａの上方に留まるように行われる。第２実施形態は、未乾燥状態の樹脂材料の塗布は一回で足りる。
以下、第１実施形態、第２実施形態の順に説明する。
【００１７】
〔第１実施形態〕
第１実施形態に係る樹脂成形品１Ａは、図１に示すように、非導電性基材１０Ａと、非導電性基材１０Ａの表面に形成、支持される第一プライマ層２０Ａと、第一プライマ層２０Ａの表面に形成される第二プライマ層３０Ａと、第二プライマ層３０Ａの表面に形成されるめっき層４０Ａと、を備えている。
第一プライマ層２０Ａと第二プライマ層３０Ａは、いずれも樹脂材料から構成され、第二プライマ層３０Ａが触媒粒子ＣＰを含むのに対して、第一プライマ層２０Ａは触媒粒子ＣＰを含まない。そうすることにより、第二プライマ層３０Ａはめっき層４０Ａとの接合強度を確保し、第一プライマ層２０Ａは非導電性基材１０Ａと第二プライマ層３０Ａの両者との接合強度を確保する。
以下、非導電性基材１０Ａ〜めっき層４０Ａの各要素について順に説明する。
【００１８】
［非導電性基材１０Ａ］
非導電性基材１０Ａは、めっき層４０Ａを形成する対象物である。
非導電性基材１０Ａは、典型的には樹脂材料が適用される。樹脂材料としては、熱可塑性樹脂と熱硬化性樹脂があるが、いずれも非導電性基材１０Ａに適用できる。また、樹脂中に炭素繊維、ガラス繊維などの強化繊維を含有させた繊維強化樹脂も適用できる。
【００１９】
熱可塑性樹脂は、加熱すると軟化・流動して可塑性を示し、冷却すると固化する。
主要な熱可塑性樹脂は汎用プラスチックとも称され、ポリエチレン、ポリプロピレン、ポリ塩化ビニルおよびスチレン系樹脂(汎用ポリスチレン）、アクリロニトリル(Acrylonitrile)・ブタジエン(Butadiene)・スチレン(Styrene)共重合合成樹脂（ＡＢＳ)が代表的な汎用プラスチックである。これらは非導電性基材１０Ａに適用できる熱可塑性樹脂の一例である。以下に具体例を示す樹脂も同様である。
また、汎用プラスチックよりも強度と耐熱性に優れるエンジニアリングプラスチック、さらにエンジニアリングプラスチックわりも耐熱性、その他の特性が優れるスーパーエンジニアリングプラスチックを非導電性基材１０Ａに適用できる。
【００２０】
次に、熱硬化性樹脂は架橋型の三次元高分子であり、化学結合により高分子鎖が網目状に繋がっている。加熱による流動は無いが、更に加熱すると硬化や分解が起こる。
代表的な熱硬化性樹脂としては、エポキシ樹脂、ポリイミド樹脂、フェノール樹脂が挙げられ、いずれも非導電性基材１０Ａに適用できる。
【００２１】
非導電性基材１０Ａは、樹脂材料に限らず、ガラス、アルミナなどのセラミックス、木質繊維、ガラス繊維、石綿、ポリエステル繊維、ビニロン繊維、レーヨン繊維、ポリオレフィン繊維等の不織布から構成してもよい。
【００２２】
非導電性基材１０Ａの形状は任意であり、矩形、多角形、楕円形などの単純な形状の他、例えばタービンブレードなどの複雑な形状についても適用できる。
【００２３】
［第一プライマ層２０Ａ］
次に、第一プライマ層２０Ａについて説明する。
第一プライマ層２０Ａは、非導電性基材１０Ａと第二プライマ層３０Ａの間に設けられ、めっきが非導電性基材１０Ａに到達するのを防止することを主目的に形成される。したがって、次に説明する第二プライマ層３０Ａとは異なり、めっきを実現するための触媒粒子ＣＰを含まない。
第一プライマ層２０Ａは、触媒粒子ＣＰを含まないことを除けば、好ましくは、第二プライマ層３０Ａの母相と同じ材質の樹脂材料から構成される。よって、第一プライマ層２０Ａを構成する樹脂材料の説明は、第二プライマ層３０Ａの説明に任せる。
第一プライマ層２０Ａは、樹脂材料から構成される非導電性基材１０Ａと化学的に結合されている。
【００２４】
［第二プライマ層３０Ａ］
次に、第二プライマ層３０Ａについて説明する。
第二プライマ層３０Ａは、樹脂からなる母相ＭＸと母相ＭＸに保持される触媒粒子ＣＰからなる。第二プライマ層３０Ａの母相ＭＸと第一プライマ層２０Ａは、化学的に結合されており、物理的な境界は存在しない。
母相ＭＸは、具体的な樹脂としては、非導電性基材１０Ａの欄で説明した樹脂材料から選択されるが、好ましくは、エポキシ樹脂又はポリイミド樹脂から選択される。
【００２５】
触媒粒子ＣＰは、貴金属、つまり金（Ａｕ）、銀（Ａｇ）、白金（Ｐｔ）及びパラジウム（Ｐｄ）の一種又は二種以上が選択される。
触媒粒子ＣＰは、特に限定されないが、０．１〜３０ｎｍの平均粒径を有するのが好ましく、０．５〜２０ｎｍの平均粒径を有するのがより好ましく、２〜１０ｎｍの平均粒径を有するのがさらに好ましい。
【００２６】
第二プライマ層３０Ａは、図示を省略するが、その表面にクレータ状の凹凸が形成され、この凹凸の上層に触媒粒子ＣＰが比較的多く存在する。これにより、第二プライマ層３０Ａの上層と無電解めっき液との反応性に優れる。加えて、塗膜表面に凹凸が形成されているため、めっき層４０Ａと第二プライマ層３０Ａの間のアンカー効果に優れる。
【００２７】
特許文献１によれば、触媒粒子は分散剤との複合体として塗料組成物に含まれるこの複合体の内部の溶媒が乾燥することにより塗膜全体が形成され、その後に塗膜中に存在する複合体の内部の溶媒が乾燥することにより塗膜表面にクレータ状の凹凸が形成される。
【００２８】
第二プライマ層３０Ａは、触媒粒子と、溶媒及びバインダ樹脂を含有する塗料組成物（プライマーインク）を第一プライマ層２０Ａの表面に塗布した後に、溶媒を乾燥させることにより形成される。プライマーインクは、特許文献１に開示された仕様に従えばよい。また、プライマーインクは上市されているので、それを用いればよい。
【００２９】
［めっき層４０Ａ］
次に、めっき層４０Ａについて説明する。
めっき層４０Ａは、無電解めっきにより形成される。無電解めっきは、金属イオンと還元剤との化学反応によって金属イオンをめっき対象物上に金属として還元析出させる方法である。
本実施形態による第二プライマ層３０Ａは無電解めっきの反応性がよく、得られるめっき層４０Ａはむらがなく、密着性及び外観性に優れる。
【００３０】
めっき層４０Ａは、第二プライマ層３０Ａの上に形成されるが、めっき層４０Ａの一部は第二プライマ層３０Ａのクレータ状の凹凸構造に浸透している。つまり、めっき層４０Ａの一部は第二プライマ層３０Ａの内部に存在しており、第二プライマ層３０Ａとめっき層４０Ａの間に直線的な境界が存在するわけではない。
【００３１】
めっき層４０Ａを構成する金属の種類は任意であり、樹脂成形品１Ａが適用される具体的な製品に対応して定めることができる。例えば、銅（Ｃｕ）、金（Ａｕ）、銀（Ａｇ）、ニッケル（Ｎｉ）、クロム（Ｃｒ）等を用いることができるし、これらのいずれかの元素と他の元素との合金を用いることができる。
【００３２】
めっき層４０Ａを得る方法及び条件は、常法に従うことができる。第二プライマ層３０Ａは無電解めっきの反応性が優れるので、めっき液の還元剤濃度やアルカリ成分濃度を抑えることができる。そのため、めっき液の寿命が長持ちするだけでなく、塗料のパターン通りにめっきが選択的に析出される。
【００３３】
［樹脂成形品１Ａの製造工程］
次に、樹脂成形品１Ａを製造する工程を、図２を参照して説明する。
＜第一プライマ層２０Ａの形成＞
はじめに、図２（ａ）に示すように、非導電性基材１０Ａに第一プライマ層２０Ａを形成するための第一塗料組成物２０ａを塗布する。この塗料組成物は、第一プライマ層２０Ａを構成する樹脂と溶媒を含んでおり、本発明における第一プライマ前駆層に該当する。
非導電性基材１０Ａに第一塗料組成物２０ａを塗布する方法は任意であるが、例えばグラビア印刷機（グラビアオフセット）、フレキソ印刷機、インクジェット印刷機、ディッピング、スプレー、スピンコーター、ロールコーター、リバースコーター、スクリーン印刷機を用いて、印刷またはコーティングすることができる。また、人手によって塗布することができる。
【００３４】
第一塗料組成物２０ａは、第二プライマ層３０Ａのための第二塗料組成物３０ａを塗布する前に半乾燥される。ここで、第一塗料組成物２０ａに含まれる溶媒が抜け去った状態を乾燥するというとすると、半乾燥とは溶媒の一部が未だ第一塗料組成物２０ａに含まれる状態をいう。特に、溶媒が５０％以下になったときに、第二塗料組成物３０ａを塗布することが好ましい。
【００３５】
＜第二プライマ層３０Ａの形成＞
次に、図２（ｂ）に示すように、第二プライマ層３０Ａを形成するための第二塗料組成物３０ａを、第一塗料組成物２０ａの上に塗布する。このとき、第一塗料組成物２０ａの溶媒のほとんどは乾燥されておらず残っている。また、塗布された第二塗料組成物３０ａは、本発明における第一プライマ前駆層に該当する。
第二塗料組成物３０ａを塗布した後に、図２（ｃ）に示すように、溶媒の乾燥処理を行う。この処理によって、無電解めっきを行う際に不必要な溶媒を除去するとともに、第一プライマ層２０Ａと非導電性基材１０Ａの間、第一プライマ層２０Ａと第二プライマ層３０Ａの間の密着性を向上させることができる。また、この乾燥処理により、第一プライマ層２０Ａと第二プライマ層３０Ａの強度を向上できる。
【００３６】
乾燥処理は、好ましくは６０〜４００℃程度の温度で行われる。さらに好ましくは８０〜１５０℃である。乾燥時間は、乾燥温度にもよるが、通常０．１〜６０分程度である。さらに好ましくは１０〜３０分程度である。
【００３７】
乾燥後における第一プライマ層２０Ａ、第二プライマ層３０Ａのそれぞれの厚さは、通常０．０５〜３μｍ程度であることが好ましい。乾燥後における厚さがこの範囲内であれば、非導電性基材１０Ａとの密着性およびめっき層４０Ａとの密着性が優れる。ただし、第一プライマ層２０Ａよりも第二プライマ層３０Ａの方が厚いのが好ましく、さらに好ましくは第一プライマ層２０Ａと第二プライマ層３０Ａの厚さが１：５以上であることが好ましい。
【００３８】
乾燥処理の後に、硬化処理を行う。
硬化処理により、第一プライマ層２０Ａおよび第二プライマ層３０Ａに含まれるバインダ樹脂が硬化される。また、非導電性基材１０Ａが樹脂材料の場合には、非導電性基材１０Ａの表面に存在する水酸基やカルボキシル器等の官能基とバインダ樹脂を化学的に結合させる。
硬化処理の温度は第一プライマ層２０Ａ、第二プライマ層３０Ａに含まれるバインダの種類に合わせて調整することができる。硬化処理の温度は４０〜４００℃程度が好ましい。ただし、非導電性基材１０Ａとして樹脂材料を用いる場合には、樹脂材料の軟化温度を考慮し、硬化処理の温度を４０〜２００℃程度に設定することが好ましい。
硬化処理のタイミングはめっき層４０Ａの形成前に限らず、めっき層４０Ａの形成後に行ってもよい。バインダ樹脂を完全に硬化させてしまうと、後のめっき層４０Ａの形成時にめっき液が第二プライマ層３０Ａに浸透しにくくなることがあるからである。
【００３９】
＜めっき層４０Ａの形成＞
次に、図２（ｄ）に示すように、めっき層４０Ａを第二プライマ層３０Ａの上に無電解めっきにより形成する。無電解めっきによるめっき層４０Ａは、第二プライマ層３０Ａが形成された領域だけに形成される。
【００４０】
［効  果］
次に、第１実施形態に係る樹脂成形品１Ａが奏する効果について説明する。
樹脂成形品１Ａは、触媒粒子ＣＰを含まない第一プライマ層２０Ａが、めっきが非導電性基材１０Ａに到達するのが防止される。これにより、樹脂成形品１Ａによれば、第二プライマ層３０Ａに対するめっき層４０Ａの浸透を深くしても、めっき金属が非導電性基材１０Ａと第一プライマ層２０Ａの接合強度を低下させることがない。したがって、第一プライマ層２０Ａおよび第二プライマ層３０Ａを介して、めっき層４０Ａを強固に非導電性基材１０Ａに接合できる。
【００４１】
第一プライマ層２０Ａを設けることなく、触媒粒子ＣＰを含む第二プライマ層３０Ａを非導電性基材１０Ａの表面に直に形成しても、第二プライマ層３０Ａの膜厚を厚くすれば、めっきが非導電性基材１０Ａまで到達するのをふせぐことができる。ところが、この手法は、めっきに寄与しない極めて高価な触媒粒子ＣＰを無駄に使用することになる。
以上に対して、樹脂成形品１Ａは、めっきの非導電性基材１０Ａへの到達を防止する第一プライマ層２０Ａが触媒粒子ＣＰを含まないので、低価格な樹脂成形品１Ａにおいて、第一プライマ層２０Ａおよび第二プライマ層３０Ａを介して、めっき層４０Ａを強固に非導電性基材１０Ａに接合できる。
【００４２】
［第２実施形態］
次に、本発明による第２実施形態に係る樹脂成形品１Ｂを説明する。
図３に示すように、樹脂成形品１Ｂは、樹脂成形品１Ａと同様に、第一プライマ層２０Ｂ、第二プライマ層３０Ｂおよびめっき層４０Ｂがこの順で非導電性基材１０Ｂの上に積層されている。ただし、樹脂成形品１Ｂは、第一プライマ層２０Ｂと第二プライマ層３０Ｂを構成する樹脂部分が、未乾燥状態の樹脂材料を一度だけ塗布することで作製される。以下、図４及び図５を参照しながら樹脂成形品１Ｂを製造する工程を説明する。
【００４３】
＜塗料組成物の塗布／半乾燥＞
はじめに、図４（ａ）に示すように、非導電性基材１０Ｂの表面に未乾燥状態の塗料組成物２０ｂを塗布する。この塗料組成物２０ｂは、第１実施形態において第一プライマ層２０Ａを形成するために用いた第一塗料組成物２０ａと同様に、触媒粒子ＣＰを含まない。また、この塗料組成物２０ｂは、本発明における第一プライマ前駆層に該当するが、触媒粒子ＣＰが供給され塗料組成物２０ｂの表層に分散されると、当該領域が本発明における第二プライマ前駆層に置き換わる。
塗料組成物２０ｂを塗布した後に、図４（ｂ）に示すように、乾燥する。ただし、ここでは全ての溶媒を取り除いて乾燥を完了させるのではなく、いくらかの溶媒を残すいわば半乾燥に留める。
【００４４】
＜触媒粒子ＣＰの供給＞
次に、図４（ｃ）に示すように、触媒粒子ＣＰを半乾燥の塗料組成物２０ｂの表面にスプレー塗布により供給する。より具体的には、塗料組成物２０ｂに含まれているのと同じ溶媒と触媒粒子ＣＰからなるスプレー組成物ＳＰをノズルＮから吐出して塗料組成物２０ｂに塗布する。
塗布されたスプレー組成物ＳＰは、半乾燥の塗料組成物２０ｂの表層の部分と混合される。その結果、図５（ａ）に示すように、触媒粒子ＣＰは塗料組成物２０ｂの表層の部分に分散して存在するが、そこよりも非導電性基材１０Ｂに近い側には存在しない。しかも、スプレー組成物がスプレー塗布された結果として、塗料組成物２０ｂの表層には凹凸が形成される。
【００４５】
＜塗料組成物２０ｂの乾燥＞
次に、塗料組成物２０ｂを乾燥して含まれていた溶媒を取り除く。そうすると、図５（ａ）に示すように、触媒粒子ＣＰを含まない第一プライマ層２０Ｂと触媒粒子ＣＰを含む第二プライマ層３０Ｂが形成される。なお、第１実施形態と同様に、第一プライマ層２０Ｂと第二プライマ層３０Ｂの境界は存在しない。
【００４６】
＜めっき層４０Ｂの形成＞
以後は、第１実施形態と同様にして、めっき層４０Ｂを形成することで、図５（ｂ）に示される樹脂成形品１Ｂが得られる。
【００４７】
［効  果］
第２実施形態に係る樹脂成形品１Ｂは、第１実施形態に係る樹脂成形品１Ａと同じ効果を奏するのに加えて、以下の効果を奏する。
第２実施形態は、触媒粒子ＣＰを塗料組成物２０ｂの表層に存在させることができる。これは、めっきの触媒として必要な表層領域だけに選択的に触媒粒子ＣＰを供給できることを意味しており、換言すれば、触媒に寄与しないであろう触媒粒子ＣＰをむだに消費するのを避けることができる。これにより、第２実施形態は触媒粒子ＣＰの使用量の削減を通じてコストを低減できる。
【００４８】
以上、本発明の好ましい実施形態を説明したが、上記以外にも、本発明の主旨を逸脱しない限り、上記実施形態で挙げた構成を取捨選択したり、他の構成に適宜変更したりすることが可能である。
例えば、第１実施形態において、第一プライマ層２０Ａと第二プライマ層３０Ａを同じ樹脂材料から構成する例を説明したが、第一プライマ層２０Ａと第二プライマ層３０Ａの接合強度が得られるのであれば、異なる樹脂材料を用いることができる。
【００４９】
また、第２実施形態において、触媒粒子ＣＰをスプレー塗布する際に、塗料組成物２０ｂに含まれているのと同じ溶媒と触媒粒子ＣＰからなるスプレー組成物ＳＰを用いる例を説明したが、塗布、乾燥が適切にできる限り、溶媒の種類を問われない。
また、第２実施形態において、触媒粒子ＣＰを塗料組成物２０ｂの表層に供給するのにスプレー塗布の例を説明したが、適切に供給できる限り触媒粒子ＣＰの供給手法は限定されない。
【符号の説明】
【００５０】
１Ａ，１Ｂ      樹脂成形品
２０Ａ，２０Ｂ  第一プライマ層
３０Ａ，３０Ｂ  第二プライマ層
２０ａ          第一塗料組成物
２０ｂ          塗料組成物
３０ａ          第二塗料組成物
４０Ａ，４０Ｂ  めっき層
ＣＰ            触媒粒子
ＭＸ            母相
【図１】
2019157158.tif 000003
【図２】
2019157158.tif 000004
【図３】
2019157158.tif 000005
【図４】
2019157158.tif 000006
【図５】
2019157158.tif 000007